(57)【特許請求の範囲】
【請求項１】
天板及び前記天板を昇降可能に支持する脚体を有する第一什器と、
支柱及び前記支柱に支持されたオプション部材を有する第二什器と、
前記天板と前記支柱の間に架け渡されて配線を収容する保持部材と、
を備え、
前記第一什器は、床面に配置されて前記脚体が立設する下部支持体を有し、
前記第二什器は、前記床面に配置されて前記支柱が立設するベース部材を有し、
前記下部支持体と前記ベース部材を連結する連結部材と、
をさらに備えることを特徴とする什器システム。
【請求項２】
天板及び前記天板を昇降可能に支持する脚体を有する第一什器と、
支柱及び前記支柱に支持されたオプション部材を有する第二什器と、
前記天板と前記支柱の間に架け渡されて配線を収容する保持部材と、
を備え、
前記支柱には、上下方向に沿って所定間隔に穿設された複数の係止孔が形成され、
前記保持部材は、前記保持部材の一方の端部に取付けられて、前記複数の係止孔に選択的に係合可能な係止部材を備えることを特徴とする什器システム。
【請求項３】
床面に配置されて前記脚体と前記支柱が共に立設する下部支持体を備えることを特徴とする請求項１又は２に記載の什器システム。
【請求項４】
前記係止部材は、前記配線を案内する配線収容部を備えることを特徴とする請求項２に記載の什器システム。
【請求項５】
前記第二什器は、前記係止孔に着脱可能な配線保持部を備えることを特徴とする請求項２に記載の什器システム。
【発明の詳細な説明】
【技術分野】
【０００１】
本発明は、オフィスや作業場等の執務作業空間において、執務者や作業者の要望に応じて天板の高さを上下方向に変更可能とした什器システムに関する。
【背景技術】
【０００２】
オフィスや作業場等の執務空間においては、執務者や作業者に作業エリアを提供するためにデスクや作業台等の什器が配設されているのが一般的である。作業者等の体格や性別、嗜好によって作業のし易いデスクの天板高さは、個々によって大きく異なっている。こうした実状には、天板高さが一定であるデスクでは対応することができない。このため、天板高さを上下方向に変更可能とした天板昇降式デスクが使用されている。
こうした天板昇降式デスクを用いることによって、作業者等の要望に応じた天板高さの作業エリアを提供することができ、作業効率を向上するとともに、作業者等の体への負荷を低減することができる。
【０００３】
天板を上下方向に移動させる昇降機構ユニットとしては、ガススプリングを用いた機構、ギアを用いた機構、電動式の機構等が発明されている。これらの昇降機構ユニットによれば、比較的簡易的な構造となるため、コストを安く抑えることができる。
【０００４】
特許文献１には、作業台となる第一什器と、作業台の後方側に配置されて収納棚等のオプション部材が装着される第二什器と、第一什器と第二什器を連結する連結部材と、を備える什器システムが開示されている。
作業場では、作業を効率化するために、様々なオプション部材が必要とされており、第一什器と第二什器の一体化が求められている。
【先行技術文献】
【特許文献】
【０００５】
【特許文献１】特許第４９４６３２４号公報
【発明の概要】
【発明が解決しようとする課題】
【０００６】
しかしながら、従来の什器システムでは、作業台である第一什器の天板を昇降式にすることや、第一什器と第二什器の間の配線については十分に考慮されていなかった。
このため、単に第一什器の天板を昇降式にすると、作業者等の足等が配線に接触する恐れがある。
【０００７】
本発明は、このような問題点に鑑みてなされたものであって、天板昇降式の什器とオプション部材が装着される什器との間の配線を安全に取り回すことができる什器システムを提供することを目的とする。
【課題を解決するための手段】
【０００８】
上記課題を解決するために、この発明は以下の手段を提案している。
本発明の什器システムは、天板及び前記天板を昇降可能に支持する脚体を有する第一什器と、支柱及び前記支柱に支持されたオプション部材を有する第二什器と、前記天板と前記支柱の間に架け渡されて配線を収容する保持部材と、を備え、前記第一什器は、床面に配置されて前記脚体が立設する下部支持体を有し、前記第二什器は、前記床面に配置されて前記支柱が立設するベース部材を有し、前記下部支持体と前記ベース部材を連結する連結部材と、をさらに備えることを特徴としている。
【０００９】
この発明によれば、作業者の足等に配線が接触したり、他の什器に配線が接触したりすることを確実に防止できるので、作業者等の作業効率の低下や怪我のおそれが回避される。
そして、作業台である第一什器の天板を昇降式にすることにより、作業者等の作業効率が向上するとともに、作業者等の体への負荷を低減することができる。
また、第一什器と第二什器を、容易、安全、確実に連結することができる。
【００１０】
また、本発明の他の什器システムは、天板及び前記天板を昇降可能に支持する脚体を有する第一什器と、支柱及び前記支柱に支持されたオプション部材を有する第二什器と、前記天板と前記支柱の間に架け渡されて配線を収容する保持部材と、を備え、前記支柱には、上下方向に沿って所定間隔に穿設された複数の係止孔が形成され、前記保持部材は、前記保持部材の一方の端部に取付けられて、前記複数の係止孔に選択的に係合可能な係止部材を備えることを特徴としている。
【００１１】
この発明によれば、作業者の足等に配線が接触したり、他の什器に配線が接触したりすることを確実に防止できるので、作業者等の作業効率の低下や怪我のおそれが回避される。
そして、作業台である第一什器の天板を昇降式にすることにより、作業者等の作業効率が向上するとともに、作業者等の体への負荷を低減することができる。
また、第二什器の支柱に対する保持部材の上下方向の取り付け位置を容易に変更することが可能になる。このため、作業者等の作業効率がさらに向上し、作業者等の体への負荷をより低減することができる。
【００１２】
また、上記の什器システムにおいて、床面に配置されて前記脚体と前記支柱が共に立設する下部支持体を備えることを特徴としている。
この発明によれば、第一什器の下部支持体から第二什器の支柱が立設するので、ベース部材や連結部材が不要となり、コスト低減を図ることができる。
【００１３】
また、上記の什器システムにおいて、前記係止部材は、前記配線を案内する配線収容部を備えることを特徴としている。
この発明によれば、保持部材から引き出された配線を収容できるので、作業者の足等に配線が接触したり、他の什器に配線が接触したりすることを確実に防止できる。
【００１４】
また、上記の什器システムにおいて、前記第二什器は、前記係止孔に着脱可能な配線保持部を備えることを特徴としている。
この発明によれば、第二什器に敷設された配線を配線保持部で保持できるので、作業者の足等に配線が接触したり、他の什器に配線が接触したりすることを確実に防止できる。
【発明の効果】
【００１５】
本発明の什器システムによれば、天板昇降式の什器とオプション部材が装着される什器との間の配線を安全に取り回すことができる。
【図面の簡単な説明】
【００１６】
【図１】本発明の一実施形態の天板昇降式デスクシステムを前方から見た図である。
【図２】天板昇降式デスクシステムを後方から見た図である。
【図３】天板昇降式デスクシステムを右方から見た図である。
【図４】連結部材を示す分解図である。
【図５】ケーブル保護チェーンと係止部材を示す図である。
【図６】係止部材を後方側から見た図である。
【発明を実施するための形態】
【００１７】
以下、本発明に係る天板昇降式デスクシステム（什器システム）の一実施形態を、図１から図６を参照しながら説明する。
図１から図３に示すように、本実施形態の天板昇降式デスクシステム１は、主に作業場に設置される什器であって、作業者に作業エリアを提供するものである。
天板昇降式デスクシステム１は、天板昇降式デスク（第一什器）２、オプション装着フレーム（第二什器）３、連結部材４、ケーブル保護チェーン（保持部材）５、配線カバー（係止部材）６等を備えている。
天板昇降式デスク２は、オプション装着フレーム３の前方に配置され、作業者の体格や性別、嗜好に応じて、天板１０の高さを上下方向に昇降可能になっている。オプション装着フレーム３は、天板昇降式デスク２の後方に配置され、工具や作業品を仮置きする棚等のオプション部材８０を任意に装着できるようになっている。そして、天板昇降式デスク２とオプション装着フレーム３は、連結部材４やケーブル保護チェーン５、配線カバー６により一体的に連結されている。
【００１８】
天板昇降式デスク２は、上面１０ａが作業面である天板１０と、左右方向Ｘに離間して配置された一対の脚体２０と、を備えている。
それぞれの脚体２０は、床面Ｆに配置された下部支持体２１から立設して、下部支持体２１の上方に配置されて天板１０を支持する上部支持体２２に接続されている。また、それぞれの脚体２０は、下部支持体２１と上部支持体２２との間を伸縮可能に連結する昇降機構ユニット２３を備えている。
【００１９】
天板１０は、上下方向Ｚに平行に見たときに矩形状に形成されている。天板１０における左右方向Ｘに延びる第一辺１０ｃの長さは、前後方向Ｙに延びる第二辺１０ｄの長さよりも長い。天板１０の一対の第一辺１０ｃのうち前方に配置される辺は、天板昇降式デスクシステム１を使用する執務者や作業者が、使用時に向き合う辺である。
【００２０】
図４に示すように、下部支持体２１は、前後方向Ｙに沿って延びる接地フレーム２５と、接地フレーム２５の前方及び後方の下面にそれぞれ設けられ床面Ｆに接触するアジャスター２６とを有している。
接地フレーム２５は、鋼板を折り曲げて形成されている。接地フレーム２５の左右方向Ｘの外側には、折り曲げ形成されたフック状の連結部２５ａが前後方向Ｙに沿って設けられる。
各アジャスター２６は、公知の構成のものである。接地フレーム２５に対してアジャスター２６を上下方向Ｚに移動させることで、天板昇降式デスク２の不陸を調整することができる。
【００２１】
図１から図３に示すように、上部支持体２２は、前後方向Ｙに延びる部材であって、鋼板を折り曲げて角筒状に形成して構成されている。
上部支持体２２は、天板１０の下面に図示しないネジ部材等により固定されている。
【００２２】
昇降機構ユニット２３は、従来公知の構成からなる電動式のものである。昇降機構ユニット２３は、外径寸法の異なる複数の角筒２３ａ，２３ｂ，２３ｃと、角筒２３ａ，２３ｂ，２３ｃの内部に収容された不図示の駆動機構と、を備えている。
角筒２３ａ，２３ｂ，２３ｃは、互いに上下方向Ｚに相対移動可能に嵌り合っていて、駆動機構を駆動することで昇降機構ユニット２３を上下方向Ｚに伸ばしたり縮めたりすることができる。これにより、昇降機構ユニット２３は、下部支持体２１と上部支持体２２との間を伸縮可能に連結し、天板１０を上下方向Ｚに移動させる。
【００２３】
天板１０の下面には、昇降機構ユニット２３を操作する操作部３０と、操作部３０にされた操作を検出して昇降機構ユニット２３を伸縮させる昇降制御部３３とが設けられる。
操作部３０は、一対の第一辺１０ｃのうち、前方となる辺の左右方向Ｘの両端にそれぞれ配置される。
【００２４】
昇降制御部３３は、図示はしないが、制御回路や、制御回路を制御するための制御プログラム等が記憶されたメモリ、昇降機構ユニット２３の駆動機構等を駆動するための電源部等を有している。
制御回路は、制御プログラムに基づいて、操作部３０にされた操作に応じて一対の昇降機構ユニット２３を伸縮させる。
【００２５】
昇降制御部３３には、外部から交流電流を供給する電源ケーブルや、昇降機構ユニット２３との間で各種情報を伝達する信号ケーブル等の配線４０が接続される。
この配線４０の一部は、昇降制御部３３から天板１０の下面の後方に向けて敷設され、天板１０から垂下してオプション装着フレーム３に接続するケーブル保護チェーン５に収容されている。
【００２６】
オプション装着フレーム３は、左右方向Ｘに離間して配置された一対の支柱６０と、一対の支柱６０の下部同士を互いに連結する連結フレーム７０と、一対の支柱６０の上端部同士を互いに連結する上部連結材７５と、を備えている。
支柱６０は、床面Ｆに配置されたベース部材６１から立設する。支柱６０の前面および後面には、上下方向Ｚに延びる細長い矩形の係止孔６０ａが複数形成されている。複数の係止孔６０ａは、左右方向Ｘに二列になって、上下方向Ｚに一定間隔で配置されている。
支柱６０は、脚体２０よりも後方に配置されている。
【００２７】
図４に示すように、ベース部材６１は、前後方向Ｙに延びる接地フレーム６５と、接地フレーム６５の前方及び後方の下面にそれぞれ設けられ床面Ｆに接触するアジャスター６６とを有している。
接地フレーム６５は、鋼板を折り曲げて角筒状に形成して構成されている。接地フレーム６５は、接地フレーム２５に対して平行に隣接配置される。接地フレーム２５が左右方向Ｘの内側、接地フレーム６５が左右方向Ｘの外側に配置される。
各アジャスター６６は、公知の構成のものである。接地フレーム６５に対してアジャスター６６を上下方向Ｚに移動させることで、オプション装着フレーム３の不陸を調整することができる。
【００２８】
図２に示すように、連結フレーム７０は、上下方向Ｚに間隔を空けて設けられ、左右方向Ｘに延びる断面視矩形筒状の横杆材７０ａ、７０ｂと、一対の支柱６０のそれぞれに沿って上下方向Ｚに延び、横杆材７０ａ、７０ｂの両端部を連結する断面視矩形筒状の縦杆材７０ｃ、７０ｃと、を備えている。連結フレーム７０は、横杆材７０ａ、７０ｂと、縦杆材７０ｃ、７０ｃとにより、前後方向Ｙから見たときに矩形状をなしている。
上部連結材７５は、断面矩形筒状で、左右方向Ｘに延びている。上部連結材７５の両端部は、係止金具７１を介して一対の支柱６０のそれぞれの側面に連結されている。
これら連結フレーム７０および上部連結材７５により、一対の支柱６０が連結されている。
【００２９】
図１から図３に示すように、オプション装着フレーム３には、オプション部材８０が任意に装着される。オプション部材８０は、例えば、オプション棚８１や配線保持部８２等である。オプション棚８１は、仮置き等する収納棚である。配線保持部８２は、電源ケーブルや信号ケーブル等の配線４０を保持する樋状の部材である。配線保持部８２は、天板昇降式デスクシステム１を左右方向Ｘに複数台連設したときの電源ケーブルや信号ケーブル等の渡り配線の収容に使用される。
これらオプション部材８０は、一対の支柱６０の間に架け渡されて固定される。オプション棚８１や配線保持部８２の左右方向Ｘの両端には、それぞれ一対のフック状の係止爪（不図示）が設けられる。この一対の係止爪を支柱６０の係止孔６０ａに挿入することにより、支柱６０に対してオプション部材８０が自重で吊り下がって係止される。
【００３０】
オプション装着フレーム３には、外部から交流電流を供給する電源ケーブルや、昇降機構ユニット２３または昇降制御部３３との間で各種情報を伝達する信号ケーブル等の配線４０が敷設される。
【００３１】
図４に示すように、連結部材４は、前後方向Ｙに延びる鋼板部材である。連結部材４の左右方向Ｘの外側には、折り曲げ形成されたフック状の連結部４ａが前後方向Ｙに沿って設けられる。連結部材４は、脚体２０の昇降機構ユニット２３の角筒２３ｃに取付けられている。連結部材４の連結部４ａが接地フレーム６５の上面を覆うように密着配置され、接地フレーム２５の連結部２５ａが接地フレーム６５の下面を覆うように密着配置されると、連結部４ａ、２５ａが組み合わさって角筒状になる。連結部４ａ、２５で、接地フレーム２５を上下方向Ｚから挟持する。
連結部材４と接地フレーム２５とをネジ部材１００により固定することで、隣接配置された接地フレーム２５と接地フレーム６５とが連結され、天板昇降式デスク２とオプション装着フレーム３とが連結される。
連結部材４の上面には、棚板２７がネジ部材１００により共締めされている。
【００３２】
ケーブル保護チェーン５は、天板昇降式デスク２の天板１０とオプション装着フレーム３の支柱６０の間に架け渡されて、Ｊ字状に湾曲して垂下している。
ケーブル保護チェーン５は、公知の構成のものである。すなわち、ケーブル保護チェーン５は、断面略コの字状をなす多数のチェーンコマをリングピンで順次回動可能に連結したチェーン状部材である。ケーブル保護チェーン５は、各チェーンコマの開口を通してその内部空間に配線４０を収納している。
【００３３】
図１から図３に示すように、ケーブル保護チェーン５は、上端部が天板１０の下面に支持されて垂下し、下端部が支柱６０に支持される。具体的には、ケーブル保護チェーン５の上端部は、天板１０の一対の第一辺１０ｃのうち後方となる辺の左右方向Ｘの一端に支持される。ケーブル保護チェーン５の下端部は、支柱６０の左右方向Ｘの内側に支持される。
ケーブル保護チェーン５は、自重で下方に垂下し、上端部および下端部が上方を向くように大きく湾曲する。ケーブル保護チェーン５は、天板１０を昇降範囲の最高位置と最低位置の間で移動させたときに、湾曲する部位を変えながら、常にＪ字状に垂下される長さを有している。
支柱６０は脚体２０よりも後方に配置されているため、ケーブル保護チェーン５の下端部が脚体２０に支持されている場合に比べて、天板昇降式デスクシステム１を使用する作業者の脚に接触しにくい。
【００３４】
図５に示すように、配線カバー６は、ケーブル保護チェーン５の下端部（一方の端部）に取付けられる部材であって、支柱６０に設けられた係止孔６０ａに係止される。図６に示すように、配線カバー６は、上下方向Ｚに延びる鋼板部材であって、チャンネル形状（コ字形状）に折り曲げ形成される。
配線カバー６の左右方向Ｘの外側には、上方に係止爪６ａ、下方に係止爪６ｂがそれぞれ設けられる。係止爪６ａは、後方に突出する基部６ｃと、基部６ｃの後方の端部から上方、下方にそれぞれ突出する上突部６ｄ、下突部６ｅとを有している。一方で、係止爪６ｂは、前述の基部６ｃと、下突部６ｅとを有している。
【００３５】
支柱６０に配線カバー６を取付けるには、まず、作業者は、配線カバー６の係止爪６ａ、６ｂを係止させる上下一対の係止孔６０ａの位置を決める。上下一対の係止孔６０ａの上下方向Ｚの位置は、支柱６０に形成された複数の係止孔６０ａに応じて任意に決めることができる。
配線カバー６を傾けて、一対の係止孔６０ａのうち上方のものに係止爪６ａの上突部６ｄを挿入する。配線カバー６を傾けたまま、この上方の係止孔６０ａに対して、係止爪６ａの基部６ｃを上方に突き当てる。係止爪６ａを上方に突き当てつつ、配線カバー６を回転させて上下方向Ｚに延びるように配置する。すると、一対の係止孔６０ａのうち上方のものに係止爪６ａの下突部６ｅが挿入され、一対の係止孔６０ａのうち下方のものに係止爪６ｂの下突部６ｅが挿入される。
各係止孔６０ａに対して係止爪６ａ、６ｂの基部６ｃを下方に突き当てると、係止爪６ａ、６ｂの下突部６ｅ及び配線カバー６により、支柱６０に対して配線カバー６が前後方向Ｙに移動するのが規制される。
【００３６】
すなわち、配線カバー６は支柱６０に対して自重で吊り下がって係止される。そして、配線カバー６に固定した図示しない永久磁石を縦杆材７０ｃに取付けること等により、配線カバー６は支柱６０の左右方向Ｘの内側に密着配置される。
各係止孔６０ａに対して係止爪６ａ、６ｂの基部６ｃを上方に突き当てると、係止爪６ａの上突部６ｄ及び配線カバー６により、支柱６０に対して配線カバー６が前後方向Ｙに移動するのが規制されるため、係止孔６０ａから係止爪６ａが外れにくい。
【００３７】
なお、支柱６０から配線カバー６を取外すには、支柱６０に対する配線カバー６の上下方向Ｚの位置を調節して、一対の係止孔６０ａに上突部６ｄ、下突部６ｅのいずれも前後方向Ｙに係止しない状態にする。この状態で、支柱６０に対して配線カバー６を前方に移動させ、支柱６０から配線カバー６を取外す。
【００３８】
配線カバー６のうちチャンネル形状に凹んだ部位は、配線収容部６ｆとなっている。
図５に示すように、この配線カバー６の後方には、縦杆材７０ｃが並べて配置される。縦杆材７０ｃと配線カバー６とで、上下方向Ｚに連通し、上方及び下方が開口となる配線経路Ｓが形成される。
昇降制御部３３から延びる配線４０は、ケーブル保護チェーン５の内部空間、及び配線経路Ｓを通り、床面Ｆまで配設される。配線４０は、床面Ｆに設けられた図示しない電源タップ等に接続される。
【００３９】
このように構成された天板昇降式デスクシステム１では、作業者は天板１０における前方の第一辺１０ｃから天板昇降式デスクシステム１を使用する。必要に応じて操作部３０を操作して天板１０の高さを変える。
このとき、ケーブル保護チェーン５は天板１０と支柱６０の間に架け渡されているため、作業者の足等に接触しにくい。
【００４０】
以上説明したように、本実施形態の天板昇降式デスクシステム１によれば、天板昇降式デスク２の天板１０とオプション装着フレーム３の支柱６０の間に架け渡されて配線４０を収容するケーブル保護チェーン５を備える。このため、天板昇降式デスク２の使用中に、作業者の足に配線に接触することを防止できる。
その一方で、天板昇降式デスクシステム１は、作業台である天板１０を昇降式にしたので、作業者等の作業効率が向上するとともに、作業者等の体への負荷を低減できる。
【００４１】
また、天板昇降式デスクシステム１は、脚体２０が立設する下部支持体２１と支柱６０が立設する接地フレーム６５とを連結する連結部材４を備える。このため、天板昇降式デスク２とオプション装着フレーム３を容易、安全、確実に連結することができる。
【００４２】
なお、下部支持体２１から脚体２０と支柱６０が共に立設するようにしてもよい。つまり、天板昇降式デスク２の下部支持体２１からオプション装着フレーム３の支柱６０が立設するようにしてもよい。これにより、接地フレーム６５と連結部材４が不要となるので、天板昇降式デスクシステム１のコスト低減を図ることができる。
【００４３】
また、天板昇降式デスクシステム１は、支柱６０が上下方向Ｚに沿って所定間隔に穿設された複数の係止孔６０ａを有し、ケーブル保護チェーン５がこの係止孔６０ａに選択的に係合可能な配線カバー６を備える。このため、支柱６０に対するケーブル保護チェーン５の下端部の上下方向Ｚの固定位置を容易に変更することができる。したがって、作業者等の作業効率がさらに向上し、作業者等の体への負荷をより低減することができる。
【００４４】
また、天板昇降式デスクシステム１は、配線カバー６が上下方向Ｚに延びて配線４０を案内する配線収容部６ｆを備える。このため、ケーブル保護チェーン５から引き出された配線４０等を収容できるので、作業者の足等に配線４０等が接触したり、オプション装着フレーム３に配線４０等が絡まったりすることを確実に防止できる。
【００４５】
また、天板昇降式デスクシステム１は、オプション装着フレーム３が係止孔６０ａに着脱可能な配線保持部８２を備える。これにより、オプション装着フレーム３に敷設された配線４０を配線保持部８２で保持できるので、作業者の足等に配線が接触したり、天板昇降式デスク２に配線４０が接触したりすることを確実に防止できる。
【００４６】
このように、本実施形態の天板昇降式デスクシステム１によれば、天板昇降式デスク２とオプション装着フレーム３の間に配置される配線４０を安全に取り回すことができる。
【００４７】
以上、本発明の一実施形態について図面を参照して詳述したが、具体的な構成はこの実施形態に限られるものではなく、本発明の要旨を逸脱しない範囲の構成の変更、組み合わせ、削除等も含まれる。
前記実施形態では、昇降機構ユニット２３は電動式の機構であるとしたが、昇降機構ユニット２３はこれに限られず、ガススプリングを用いた機構、ギアを用いた機構等でもよい。
【００４８】
配線４０は、電源ケーブルや信号ケーブルに限らず、圧縮空気や液体を供給するチューブ等であってもよい。また、電源ケーブルや信号ケーブル、チューブが混在してもよい。
【００４９】
ケーブル保護チェーン５は、湾曲方向が一定のものに限らない。例えば、任意の方向に湾曲するホース状の部材であってもよい。
天板昇降式デスク２とオプション装着フレーム３の間に、複数のケーブル保護チェーン５が配置されてもよい。
【００５０】
オプション装着フレーム３は、矩形の枠体に限らない。例えば、壁体であってもよい。
オプション装着フレーム３は、天板昇降式デスク２の後方のみならず、天板昇降式デスク２の左右方向Ｘに配置されてもよい。
また、１つのオプション装着フレーム３に対して複数の天板昇降式デスク２が接続されてもよい。あるいは、１つの天板昇降式デスク２に対して複数のオプション装着フレーム３が接続されてもよい。
【００５１】
天板昇降式デスク２は下部支持体２１を備えなくてもよいし、オプション装着フレーム３はベース部材６１を備えなくてもよい。
天板昇降式デスクシステム１は、配線カバー６を備えなくてもよい。また、天板昇降式デスク２は、配線保持部８２を備えなくてもよい。
【符号の説明】
【００５２】
１  天板昇降式デスクシステム（什器システム）
２  天板昇降式デスク（第一什器）
３  オプション装着フレーム（第二什器）
４  連結部材
５  ケーブル保護チェーン（保持部材）
６  配線カバー（係止部材）
６ｆ  配線収容部
１０  天板
２０  脚体
２１  下部支持体
２３  昇降機構ユニット
４０  配線
６０  支柱
６０ａ  係止孔
６１  ベース部材
８０  オプション部材
８２  配線保持部
Ｆ  床面
Ｚ  上下方向
【図１】
0006762095.tif 000002
【図２】
0006762095.tif 000003
【図３】
0006762095.tif 000004
【図４】
0006762095.tif 000005
【図５】
0006762095.tif 000006
【図６】
0006762095.tif 000007